【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
ユーザ識別情報と対応付けて印刷データを管理する印刷管理サーバと通信可能な画像処理装置であって、
前記画像処理装置に予め設定されている割込印刷モードとして、第１のモードと第２のモードを含む複数の割込印刷モードのうち、どの割込印刷モードが設定されているかを判定するモード判定手段と、
第１のユーザのユーザ識別情報の受け付けに応じて、前記第１のユーザのユーザ識別情
報を受け付ける受付手段と、
前記受付手段で受け付けた第１のユーザのユーザ識別情報に対応する前記第１のユーザの印刷データの印刷をする印刷手段と、
前記モード判定手段により前記割込印刷モードとして前記第１のモードが設定されていると判定された場合であって、前記印刷手段による前記第１のユーザの印刷データの印刷中に前記受付手段で第２のユーザのユーザ識別情報を受け付けた場合、前記第１のユーザのユーザ識別情報の再受付に応じて、前記第２のユーザのユーザ識別情報に対応する前記第２のユーザの印刷データの割り込み印刷をする第１の割込印刷手段と、
前記モード判定手段により前記割込印刷モードとして前記第２のモードが設定されていると判定された場合であって、前記印刷手段による前記第１のユーザの印刷データの印刷中に前記受付手段で第２のユーザのユーザ識別情報を受け付けた場合、前記第２のユーザのユーザ識別情報に対応付けて管理されている前記第２のユーザの印刷データの割り込み印刷が可能か否かを判定する割込印刷可否判定手段と、
前記割込印刷可否判定手段によって前記第２のユーザの印刷データの割り込み印刷が可能であると判定した場合、割り込み印刷を実行する第２の割込印刷手段と、
を備えることを特徴とする画像処理装置。
【請求項２】
前記画像処理装置を、前記ユーザ操作で前記割込印刷モードのうち、前記第１のモードおよび前記第２のモードの設定切替を受け付けることにより、前記画像形成装置の割込印刷モードの切替指示を実行する割込印刷モード切替手段
を更に備えることを特徴とする請求項１に記載の画像処理装置。
【請求項３】
前記割込印刷可否判定手段によって前記第２のユーザの印刷データの割り込み印刷が可能でないと判定した場合、前記ユーザ識別情報受付手段により前記第１のユーザのユーザ識別情報を受け付けることで前記第２のユーザの印刷データの割り込み印刷を可能にする割込承認受付手段
を更に備えることを特徴とする請求項１に記載の画像処理装置。
【請求項４】
ユーザ識別情報と対応付けて印刷データを管理する印刷管理サーバと通信可能な画像処理装置の制御方法であって、
前記画像処理装置のモード判定手段が、前記画像処理装置に予め設定されている割込印刷モードとして、第１のモードと第２のモードを含む複数の割込印刷モードのうち、どの割込印刷モードが設定されているかを判定するモード判定ステップと、
前記画像処理装置の受付手段が、第１のユーザのユーザ識別情報の受け付けに応じて、前記第１のユーザのユーザ識別情報を受け付ける受付ステップと、
前記画像処理装置の印刷手段が、前記受付ステップで受け付けた第１のユーザのユーザ識別情報に対応する前記第１のユーザの印刷データの印刷をする印刷ステップと、
前記画像処理装置の第１の割込印刷手段が、前記モード判定ステップにより前記割込印刷モードとして前記第１のモードが設定されていると判定された場合であって、前記印刷ステップによる前記第１のユーザの印刷データの印刷中に前記受付ステップで第２のユーザのユーザ識別情報を受け付けた場合、前記第１のユーザのユーザ識別情報の再受付に応じて、前記第２のユーザのユーザ識別情報に対応する前記第２のユーザの印刷データの割り込み印刷をする第１の割込印刷ステップと、
前記画像処理装置の割込印刷可否判定手段が、前記モード判定ステップにより前記割込印刷モードとして前記第２のモードが設定されていると判定された場合であって、前記印刷ステップによる前記第１のユーザの印刷データの印刷中に前記受付ステップで第２のユーザのユーザ識別情報を受け付けた場合、前記第２のユーザのユーザ識別情報に対応付けて管理されている前記第２のユーザの印刷データの割り込み印刷が可能か否かを判定する割込印刷可否判定ステップと、
前記画像処理装置の第２の割込印刷手段が、前記割込印刷可否判定ステップによって前記第２のユーザの印刷データの割り込み印刷が可能であると判定した場合、割り込み印刷を実行する第２の割込印刷ステップ
とを含むことを特徴とする制御方法。
【請求項５】
ユーザ識別情報と対応付けて印刷データを管理する印刷管理サーバと通信可能な画像処理装置を制御するプログラムであって、
前記画像処理装置を、
前記画像処理装置に予め設定されている割込印刷モードとして、第１のモードと第２のモードを含む複数の割込印刷モードのうち、どの割込印刷モードが設定されているかを判定するモード判定手段と、
第１のユーザのユーザ識別情報の受け付けに応じて、前記第１のユーザのユーザ識別情
報を受け付ける受付手段と、
前記受付手段で受け付けた第１のユーザのユーザ識別情報に対応する前記第１のユーザの印刷データの印刷をする印刷手段と、
前記モード判定手段により前記割込印刷モードとして前記第１のモードが設定されていると判定された場合であって、前記印刷手段による前記第１のユーザの印刷データの印刷中に前記受付手段で第２のユーザのユーザ識別情報を受け付けた場合、前記第１のユーザのユーザ識別情報の再受付に応じて、前記第２のユーザのユーザ識別情報に対応する前記第２のユーザの印刷データの割り込み印刷をする第１の割込印刷手段と、
前記モード判定手段により前記割込印刷モードとして前記第２のモードが設定されていると判定された場合であって、前記印刷手段による前記第１のユーザの印刷データの印刷中に前記受付手段で第２のユーザのユーザ識別情報を受け付けた場合、前記第２のユーザのユーザ識別情報に対応付けて管理されている前記第２のユーザの印刷データの割り込み印刷が可能か否かを判定する割込印刷可否判定手段と、
前記割込印刷可否判定手段によって前記第２のユーザの印刷データの割り込み印刷が可能であると判定した場合、割り込み印刷を実行する第２の割込印刷手段
として機能させることを特徴とするコンピュータで読み取り実行可能なプログラム。
【請求項６】
ユーザ識別情報と対応付けて印刷データを管理する印刷管理サーバと、画像処理装置とが相互に通信可能な画像処理システムであって、
前記画像処理装置において、
前記画像処理装置に予め設定されている割込印刷モードとして、第１のモードと第２のモードを含む複数の割込印刷モードのうち、どの割込印刷モードが設定されているかを判定するモード判定手段と、
第１のユーザのユーザ識別情報の受け付けに応じて、前記第１のユーザのユーザ識別情
報を受け付ける受付手段と、
前記受付手段で受け付けた第１のユーザのユーザ識別情報に対応する前記第１のユーザの印刷データの印刷をする印刷手段と、
前記モード判定手段により前記割込印刷モードとして前記第１のモードが設定されていると判定された場合であって、前記印刷手段による前記第１のユーザの印刷データの印刷中に前記受付手段で第２のユーザのユーザ識別情報を受け付けた場合、前記第１のユーザのユーザ識別情報の再受付に応じて、前記第２のユーザのユーザ識別情報に対応する前記第２のユーザの印刷データの割り込み印刷をする第１の割込印刷手段と、
前記モード判定手段により前記割込印刷モードとして前記第２のモードが設定されていると判定された場合であって、前記印刷手段による前記第１のユーザの印刷データの印刷中に前記受付手段で第２のユーザのユーザ識別情報を受け付けた場合、前記第２のユーザのユーザ識別情報に対応付けて管理されている前記第２のユーザの印刷データの割り込み印刷が可能か否かを判定する割込印刷可否判定手段と、
前記割込印刷可否判定手段によって前記第２のユーザの印刷データの割り込み印刷が可能であると判定した場合、割り込み印刷を実行する第２の割込印刷手段とを備え、
前記印刷管理サーバにおいて、
前記印刷手段による印刷指示、もしくは前記第１の割込印刷手段および前記第２の割込印刷手段による割込制御指示に応じて、前記印刷データを印刷すべく前記画像処理装置でに送信する印刷データ送信手段
を備えることを特徴とする画像処理システム。
【請求項７】
ユーザ識別情報と対応付けて印刷データを管理する印刷管理サーバと、画像処理装置とが相互に通信可能な画像処理システムの画像処理方法であって、
前記画像処理装置において、
前記画像処理装置のモード判定手段が、前記画像処理装置に予め設定されている割込印刷モードとして、第１のモードと第２のモードを含む複数の割込印刷モードのうち、どの割込印刷モードが設定されているかを判定するモード判定ステップと、
前記画像処理装置の受付手段が、第１のユーザのユーザ識別情報の受け付けに応じて、前記第１のユーザのユーザ識別情報を受け付ける受付ステップと、
前記画像処理装置の印刷手段が、前記受付ステップで受け付けた第１のユーザのユーザ識別情報に対応する前記第１のユーザの印刷データの印刷をする印刷ステップと、
前記画像処理装置の第１の割込印刷手段が、前記モード判定ステップにより前記割込印刷モードとして前記第１のモードが設定されていると判定された場合であって、前記印刷ステップによる前記第１のユーザの印刷データの印刷中に前記受付ステップで第２のユーザのユーザ識別情報を受け付けた場合、前記第１のユーザのユーザ識別情報の再受付に応じて、前記第２のユーザのユーザ識別情報に対応する前記第２のユーザの印刷データの割り込み印刷をする第１の割込印刷ステップと、
前記画像処理装置の割込印刷可否判定手段が、前記モード判定ステップにより前記割込印刷モードとして前記第２のモードが設定されていると判定された場合であって、前記印刷ステップによる前記第１のユーザの印刷データの印刷中に前記受付ステップで第２のユーザのユーザ識別情報を受け付けた場合、前記第２のユーザのユーザ識別情報に対応付けて管理されている前記第２のユーザの印刷データの割り込み印刷が可能か否かを判定する割込印刷可否判定ステップと、
前記画像処理装置の第２の割込印刷手段が、前記割込印刷可否判定ステップによって前記第２のユーザの印刷データの割り込み印刷が可能であると判定した場合、割り込み印刷を実行する第２の割込印刷ステップとを含み、
前記印刷管理サーバにおいて、
前記印刷管理サーバの前記印刷データ送信手段が、前記印刷ステップによる印刷指示、もしくは前記第１の割込印刷ステップおよび前記第２の割込印刷ステップによる割込制御指示に応じて、前記印刷データを印刷すべく前記画像処理装置でに送信する印刷データ送信ステップ
を含むことを特徴とする画像処理方法。
【請求項８】
ユーザ識別情報と対応付けて印刷データを管理する印刷管理サーバと、画像処理装置とが相互に通信可能な画像処理システムを制御するプログラムであって、
前記画像処理装置を、
前記画像処理装置に予め設定されている割込印刷モードとして、第１のモードと第２のモードを含む複数の割込印刷モードのうち、どの割込印刷モードが設定されているかを判定するモード判定手段と、
第１のユーザのユーザ識別情報の受け付けに応じて、前記第１のユーザのユーザ識別情
報を受け付ける受付手段と、
前記受付手段で受け付けた第１のユーザのユーザ識別情報に対応する前記第１のユーザの印刷データの印刷をする印刷手段と、
前記モード判定手段により前記割込印刷モードとして前記第１のモードが設定されていると判定された場合であって、前記印刷手段による前記第１のユーザの印刷データの印刷中に前記受付手段で第２のユーザのユーザ識別情報を受け付けた場合、前記第１のユーザのユーザ識別情報の再受付に応じて、前記第２のユーザのユーザ識別情報に対応する前記第２のユーザの印刷データの割り込み印刷をする第１の割込印刷手段と、
前記モード判定手段により前記割込印刷モードとして前記第２のモードが設定されていると判定された場合であって、前記印刷手段による前記第１のユーザの印刷データの印刷中に前記受付手段で第２のユーザのユーザ識別情報を受け付けた場合、前記第２のユーザのユーザ識別情報に対応付けて管理されている前記第２のユーザの印刷データの割り込み印刷が可能か否かを判定する割込印刷可否判定手段と、
前記割込印刷可否判定手段によって前記第２のユーザの印刷データの割り込み印刷が可能であると判定した場合、割り込み印刷を実行する第２の割込印刷手段として機能させ、
前記印刷管理サーバを、
前記印刷手段による印刷指示、もしくは前記第１の割込印刷手段および前記第２の割込印刷手段による割込制御指示に応じて、前記印刷データを印刷すべく前記画像処理装置でに送信する印刷データ送信手段
として機能させることを特徴とするコンピュータで読み取り実行可能なプログラム。
【手続補正２】
【補正対象書類名】明細書
【補正対象項目名】０００７
【補正方法】変更
【補正の内容】
【０００７】
即ち本発明は、ユーザ識別情報と対応付けて印刷データを管理する印刷管理サーバと通信可能な画像処理装置であって、前記画像処理装置に予め設定されている割込印刷モードとして、第１のモードと第２のモードを含む複数の割込印刷モードのうち、どの割込印刷モードが設定されているかを判定するモード判定手段と、第１のユーザのユーザ識別情報の受け付けに応じて、前記第１のユーザのユーザ識別情を受け付ける受付手段と、前記受付手段で受け付けた第１のユーザのユーザ識別情報に対応する前記第１のユーザの印刷データの印刷をする印刷手段と、前記モード判定手段により前記割込印刷モードとして前記第１のモードが設定されていると判定された場合であって、前記印刷手段による前記第１のユーザの印刷データの印刷中に前記受付手段で第２のユーザのユーザ識別情報を受け付けた場合、前記第１のユーザのユーザ識別情報の再受付に応じて、前記第２のユーザのユーザ識別情報に対応する前記第２のユーザの印刷データの割り込み印刷をする第１の割込印刷手段と、前記モード判定手段により前記割込印刷モードとして前記第２のモードが設定されていると判定された場合であって、前記印刷手段による前記第１のユーザの印刷データの印刷中に前記受付手段で第２のユーザのユーザ識別情報を受け付けた場合、前記第２のユーザのユーザ識別情報に対応付けて管理されている前記第２のユーザの印刷データの割り込み印刷が可能か否かを判定する割込印刷可否判定手段と、前記割込印刷可否判定手段によって前記第２のユーザの印刷データの割り込み印刷が可能であると判定した場合、割り込み印刷を実行する第２の割込印刷手段とを備えることを特徴とする。